(57)【要約】【課題】ポンプ式容器やエアゾール式容器の装飾体取付けにともなう外装状態の充実化と、当該装飾体の生産工程の効率化とを図る。【解決手段】内容物放出機構が組み込まれる筒状首部１ａの周りの環状上面１ｂを有する有底筒状の容器本体１に、着脱可能な形で取り付けられる透明性状の容器用外装ケース６として、この環状上面１ｂまで外装対象とすることができる形状のものを用いた。容器用外装ケース６と容器本体１の外周面との間に、装飾体（フィルム５）を入れて保持する。また生産工程の効率化を図るため、容器用外装ケース６の全体を一体成形している。【選択図】図１
2012236644.tif 000002
【特許請求の範囲】
【請求項１】
内容物放出機構が組み込まれる開口部の周りの環状上面を有する有底筒状の容器本体に着脱可能な形で取り付けられる透明性状の容器用外装ケースにおいて、
前記容器本体の外周面との間に、装飾体を入れて保持するための環状空間域を形成する筒状胴部と、
前記筒状胴部の上端側部分から内方に、前記容器本体の環状上面と対向する部分まで延びる形の環状上部と、
前記筒状胴部の下端側部分から内方に、前記容器本体の底部と対向する部分まで延びる形の底状部と、を有し、
前記筒状胴部は、
その構成要素である複数の縦方向の可動胴部要素が、周方向の隣同士として並び、かつ、当該可動胴部要素間の開状態と閉状態とが選択的に設定される態様で形成され、
前記可動胴部要素は、
前記可動胴部要素間の閉状態と開状態とが選択的に設定される際の回動中心として作用するヒンジ作用部を備えている、
ことを特徴とする透明性状の容器用外装ケース。
【請求項２】
前記筒状胴部，前記環状上部，前記底状部および前記ヒンジ作用部は、
全体として一体成形されたものである、
ことを特徴とする請求項１記載の透明性状の容器用外装ケース。
【請求項３】
前記ヒンジ作用部は、
前記可動胴部要素の縦方向縁部分に形成されている、
ことを特徴とする請求項１または２記載の透明性状の容器用外装ケース。
【請求項４】
前記筒状胴部は、
前記可動胴部要素とは別の部分であって可動しない形の固定胴部要素を有し、
前記ヒンジ作用部は、
前記可動胴部要素と前記材固定胴部要素との連結部分に形成されている、
ことを特徴とする請求項１乃至３のいずれかに記載の透明性状の容器用外装ケース。
【請求項５】
前記可動胴部要素間の開状態のときに前記装飾体を前記可動胴部要素に収納保持するための係止部分を備えている、
ことを特徴とする請求項１乃至４のいずれかに記載の透明性状の容器用外装ケース。
【請求項６】
請求項１乃至５のいずれかに記載の透明性状の容器用外装ケースを備え、かつ、前記容器本体に内容物を収容した、
ことを特徴とするポンプ式製品。
【請求項７】
請求項１乃至５のいずれかに記載の透明性状の容器用外装ケースを備え、かつ、前記容器本体に噴射剤および内容物を収容した、
ことを特徴とするエアゾール式製品。
【発明の詳細な説明】
【技術分野】
【０００１】
本発明は、ポンプ式製品やエアゾール式製品の、環状上面を有する有底筒状の容器本体に着脱可能な形で取り付けられる透明性状の容器用外装ケースに関する。
【０００２】
すなわち、底部，筒状部および環状上面（＝筒状部上端から内方に続く環状部分）などからなる通常のポンプ式容器やエアゾール式容器において、その筒状部および底部だけではなく、環状上面をもカバーする透明性状の容器用外装ケースを対象としている。
【０００３】
この容器用外装ケースを構成する筒状胴部の内周面と、容器本体の筒状部外周面との間にはフィルム，シートなどの各種装飾体が配設される。
【０００４】
なお、本明細書では「透明」の語を、少なくとも容器用外装ケースの中に入れられた装飾体が利用者からみて認識できる程度の光透過状態を示す語として用いる。
【０００５】
また、概略、底部を「下」とした場合の容器本体の上下方向を「縦」と記載し、この上下方向と直交する方向を「横，左右」と記載する。
【背景技術】
【０００６】
従来、ポンプ式製品など（ポット）の環状上面を有する有底筒状の容器本体に着脱可能な形で取り付けられて、当該容器本体の外周面との間に装飾体を挟みこめる透明性状の容器用外装ケースが提案されている（後述の特許文献１参照）。
【０００７】
ここでの透明性状の容器用外装ケース[7],[11]は、底部[7]および筒状部[11]からなり、また容器本体の底部[16]と筒状部[4]とを外装対象としている。
【先行技術文献】
【特許文献】
【０００８】
【特許文献１】実開昭６１−９６８３７号公報
【発明の概要】
【発明が解決しようとする課題】
【０００９】
このように従来の透明性状の容器用外装ケースは、もっぱら容器本体の底部および筒状部に対するものであって、容器本体の環状上面まで外装するものではない。
【００１０】
また、この容器用外装ケースは筒状部および、これとは別の底部の二部材からなっている。
【００１１】
本発明は、ポンプ式製品やエアゾール式製品の、内容物放出機構が組み込まれる開口部（例えばポンプ式容器の筒状首部やエアゾール式容器のマウンティングキャップなど）の周りの環状上面を有する有底筒状の容器本体に、着脱可能な形で取り付けられる透明性状の容器用外装ケースとして、この環状上面まで外装対象とすることができる形状のものを提案し、これによりポンプ式容器やエアゾール式容器の装飾体取付けにともなう外装状態の充実化を図ることを目的とする。
【００１２】
また、この透明性状の容器用外装ケースの全体を一体成形し、これにより当該外装ケースの生産工程の効率化を図ることを目的とする。
【課題を解決するための手段】
【００１３】
本発明は、以上の課題を次のようにして解決する。
（１）内容物放出機構が組み込まれる開口部（例えば後述の筒状首部１ａ）の周りの環状上面（例えば後述の環状上面１ｂ）を有する有底筒状の容器本体（例えば後述の容器本体１）に着脱可能な形で取り付けられる透明性状の容器用外装ケース（例えば後述の縦ヒンジ外装ケース６，７，横ヒンジ外装ケース８，９）において、
前記容器本体の外周面との間に、装飾体（例えば後述のフィルム５，５'）を入れて保持するための環状空間域を形成する筒状胴部（例えば後述の可動縦胴部要素６ｃ，縦胴部要素７ｃおよび可動縦胴部要素７ｇ，可動縦胴部要素８ｃ，９ｃ）と、
前記筒状胴部の上端側部分から内方に、前記容器本体の環状上面と対向する部分まで延びる形の環状上部（例えば後述の半環状上部６ｂ，半環状上部７ｂおよび半々環状上部７ｆ，半環状上部８ｂ，９ｂ）と、
前記筒状胴部の下端側部分から内方に、前記容器本体の底部と対向する部分まで延びる形の底状部（例えば後述の半円状底部６ｄ，半円状底部７ｄおよび半々円状底部７ｈ，内向き半環状下部８ｄおよび底部８ｅ，半円状底部９ｄ）と、を有し、
前記筒状胴部は、
その構成要素である複数の縦方向の可動胴部要素（例えば後述の可動縦胴部要素６ｃ，７ｇ，８ｃ，９ｃ）が、周方向の隣同士として並び、かつ、当該可動胴部要素間の開状態と閉状態とが選択的に設定される態様で形成され、
前記可動胴部要素は、
前記可動胴部要素間の閉状態と開状態とが選択的に設定される際の回動中心として作用するヒンジ作用部（例えば後述の縦ヒンジ作用部６ｅ，７ｊ，横ヒンジ作用部８ｆ，９ｅ）を備える。
（２）上記（１）において、
前記筒状胴部，前記環状上部，前記底状部および前記ヒンジ作用部は、
全体として一体成形されたものである。
（３）上記（１），（２）において、
前記ヒンジ作用部（例えば後述の縦ヒンジ作用部６ｅ，７ｊ）は、
前記可動胴部要素（例えば後述の可動縦胴部要素６ｃ，７ｇ）の縦方向縁部分に形成されている。
（４）上記（１）〜（３）において、
前記筒状胴部（例えば後述の縦胴部要素７ｃおよび可動縦胴部要素７ｇ）は、
前記可動胴部要素（例えば後述の可動縦胴部要素７ｇ）とは別の部分であって可動しない形の固定胴部要素（例えば後述の縦胴部要素７ｃ）を有し、
前記ヒンジ作用部（例えば後述の縦ヒンジ作用部７ｊ）は、
前記可動胴部要素と前記材固定胴部要素との連結部分に形成されている。
（５）上記（１）〜（４）において、
前記可動胴部要素間の開状態のときに前記装飾体を前記可動胴部要素に収納保持するための係止部分（例えば後述の突状係止部６ｇ，７ｍ，８ｈ，９ｇ）を備えている、
【００１４】
このような構成からなる透明性状の容器用外装ケースならびに、当該容器用外装ケースを備えたポンプ式製品およびエアゾール式製品を本発明の対象としている。
【発明の効果】
【００１５】
本発明は以上の課題解決手段により、
(11)ポンプ式容器およびエアゾール式容器の装飾体取付けにともなう外装状態の充実化を図る、
(12)透明性状の容器用外装ケースの生産工程の効率化を図る、
ことができる。
【図面の簡単な説明】
【００１６】
【図１】有底円筒状の縦ヒンジ外装ケース（その１）を用いて容器本体の外周面との間に一枚のフィルムを収納する場合の、当該縦ヒンジ外装ケースの開状態を示す説明図である。
【図２】図１の縦ヒンジ外装ケースの閉状態を示す説明図である。
【図３】有底円筒状の縦ヒンジ外装ケース（その２）を用いて容器本体の外周面との間に一枚のフィルムを収納する場合の、当該縦ヒンジ外装ケースの開状態を示す説明図である。
【図４】図２の縦ヒンジ外装ケースの閉状態を示す説明図である。
【図５】有底円筒状の横ヒンジ外装ケース（その１）を用いて、容器本体の外周面との間に二枚のフィルムを別々に収納する場合の、当該横ヒンジ外装ケースの開状態を示す説明図である。
【図６】図５の横ヒンジ外装ケースの閉状態を示す説明図である。を示している。図１の正立状態での作動モードを示す説明図である。
【図７】有底円筒状の横ヒンジ外装ケース（その２）を用いて、容器本体の外周面との間に二枚のフィルムを別々に収納する場合の、当該横ヒンジ外装ケースの開状態を示す説明図である。
【図８】図７の横ヒンジ外装ケースの閉状態を示す説明図である。
【発明を実施するための形態】
【００１７】
図１〜図８を用いて本発明の実施形態を説明する。
【００１８】
本願発明は上述したように、ポンプ式製品およびエアゾール式製品のそれぞれで用いられる透明性状の容器用外装ケースを対象としている。
【００１９】
ただ、以下の実施形態の記載では単なる説明の便宜上、原則としてポンプ式製品の容器本体に取り付けられる容器用外装ケースの場合を前提とする。
【００２０】
図１〜図８で用いるアルファベット付き参照番号の構成要素（例えば筒状首部１ａ）は原則として、当該参照番号の数字部分の構成要素（例えば容器本体１）の一部であることを示している。
【００２１】
図１，図２，図４〜図８において、
１は有底円筒状の容器本体（容器），
１ａは当該容器本体の上中央部分に形成された筒状首部（開口部），
１ｂは当該筒状首部の回りの環状上面，
１ｃは当該環状上面の外端部分から下方に延びる外周面（筒状部），
１ｄは当該容器本体の底部，
をそれぞれ示している。
【００２２】
また、同図において、
２は周知の内容物放出機構と一体化された状態で筒状首部１ａの外周面と螺合するネジキャップ，
３は当該内容物放出機構の構成要素である押圧タイプの周知の操作ボタン，
４はネジキャップ２に対し着脱自在であって、操作ボタン３を保護するための周知のカバーキャップ，
５，５'は容器本体１の外周面１ｃに取り付けられて装飾作用を呈する方形状のフィルム（装飾体）
５ａ，５ａ'は左右両側の一対の縦方向端部，
５ｂ，５ｂ'は横方向上端部，
５ｃ，５ｃ'は横方向下端部，
をそれぞれ示している。
【００２３】
また、図１および図２において、
６は全体が透明で、フィルム５を容器本体１の外周面１ｃとの間に保持するための有底円筒状の縦ヒンジ外装ケース（その１），
６ａは当該縦ヒンジ外装ケースをその縦方向中心面でいわば左右に等分割した形の半円弧状の胴部横断面などからなり、それぞれの間の閉状態と開状態とが選択的に設定される計二個の半外装ケース，
６ｂは半外装ケース６ａそれぞれの上面側を形成する半環状上部，
６ｃは半外装ケース６ａそれぞれの筒状胴部相当部分を形成する可動縦胴部要素（縦方向の可動胴部要素），
６ｄは半外装ケース６ａそれぞれの底面側を形成する半円状底部，
６ｅは可動縦胴部要素６ｃそれぞれの連結部分を構成する縦ヒンジ作用部，
６ｆは可動縦胴部要素６ｃそれぞれの（縦ヒンジ作用部６ｅとは反対側の）表面縦方向開口側縁部分の上下各域に形成されて、半外装ケース６ａ同士を閉状態に保持するための計四個の係合部， 
６ｇは半外装ケース６ａ同士の開状態において、フィルム５を、二つの半外装ケース６ａ全体の中にいわば仮保持するため、可動縦胴部要素６ｃそれぞれの内周面縦方向開口側縁部分に三個形成された計六個の突状係止部，
をそれぞれ示している。
【００２４】
また、図３および図４において、
７は全体が透明で、フィルム５を容器本体１の外周面１ｃとの間に保持するための有底円筒状の縦ヒンジ外装ケース（その２），
７ａは当該縦ヒンジ外装ケースの一部であって図１，図２の半外装ケース６ａの一つに相当する半円弧状の胴部横断面などからなる単一の半外装ケース，
７ｂは半外装ケース７ａの上面側を形成する半環状上部，
７ｃは半外装ケース７ａの筒状胴部相当部分を形成する縦胴部要素，
７ｄは半外装ケース７ａの底面側を形成する半円状底部，
７ｅは半外装ケース７ａの左右両側縦方向にそれぞれ形成されて、１／４円弧状の胴部横断面などからなる計二個の半々外装ケース，
７ｆは半々外装ケース７ｅそれぞれの上面側を形成する半々環状上部，
７ｇは半々外装ケース７ｅそれぞれの筒状胴部相当部分を形成する可動縦胴部要素（縦方向の可動胴部要素），
７ｈは半々外装ケース７ｅそれぞれの底面側を形成する半々円状（１／４円状）底部，
７ｊは縦胴部要素７ｃと可動縦胴部要素７ｇそれぞれとの連結部分を構成する計二個の縦ヒンジ作用部，
７ｋは縦ヒンジ外装ケース６の係合部６ｆと同様の係合作用を呈する計四個の係合部，
７ｍは縦ヒンジ外装ケース６の突状係止部６ｇと同様の係止作用を呈する計六個の突状係止部，
をそれぞれ示している。
【００２５】
また、図５および図６において、
８は全体が透明で、フィルム５'を容器本体１の外周面１ｃとの間に保持するための有底円筒状の横ヒンジ外装ケース（その１），
８ａは当該横ヒンジ外装ケースをその縦方向中心面でいわば左右に等分割した形の半円弧状の胴部横断面などからなり、それぞれの間の閉状態と開状態とが選択的に設定される計二個の半外装ケース，
８ｂは半外装ケース８ａそれぞれの上面側を形成する半環状上部，
８ｃは半外装ケース８ａそれぞれの筒状胴部相当部分を形成する可動縦胴部要素（縦方向の可動胴部要素），
８ｄは可動縦胴部要素８ｃそれぞれの下端側に形成された計二個の内向き半環状下部，
８ｅは半外装ケース８ａのそれぞれに共通の底部，
８ｆは内向き半環状下部８ｄのそれぞれと底部８ｅとの連結部分を構成する計二個の横ヒンジ作用部，
８ｇは可動縦胴部要素８ｃそれぞれの表面縦方向縁部分の上側域に二個（一つの当該縁部分あたり一個）形成されて、半外装ケース８ａ同士を閉状態に保持するための計四個の係合部，
８ｈは半外装ケース８ａ同士の開状態において、各フィルム５'を、この二つの半外装ケース８ａそれぞれにいわば仮保持するため、可動縦胴部要素８ｃそれぞれの内周面縦方向縁部分に六個（一つの当該縁部分あたり三個）形成された計十二個の突状係止部，
をそれぞれ示している。
【００２６】
また、図７および図８において、
９は全体が透明で、フィルム５'を容器本体１の外周面１ｃとの間に保持するための有底円筒状の横ヒンジ外装ケース（その２），
９ａは当該横ヒンジ外装ケースをその縦方向中心面でいわば左右に等分割した形の半円弧状の胴部横断面などからなり、それぞれの間の閉状態と開状態とが選択的に設定される計二個の半外装ケース，
９ｂは半外装ケース９ａそれぞれの上面側を形成する半環状上部，
９ｃは半外装ケース９ａそれぞれの筒状胴部相当部分を形成する可動縦胴部要素（縦方向の可動胴部要素），
９ｄは半外装ケース９ａそれぞれの底面側を形成する半円状底部，
９ｅは半環状上部９ｂ同士の連結部分を構成する計二個の横ヒンジ作用部，
９ｆは可動縦胴部要素９ｃそれぞれの表面縦方向縁部分の下側域に二個（一つの当該縁部分あたり一個）形成されて、半外装ケース９ａ同士を閉状態に保持するための計四個の係合部，
９ｇは横ヒンジ外装ケース８の突状係止部８ｈと同様の係止作用を呈する計十二個の突状係止部，
をそれぞれ示している。
【００２７】
ここで、容器本体１，ネジキャップ２，操作ボタン３およびカバーキャップ４はポリプロピレン，ポリエチレン，ポリアセタール，ナイロン，ポリブチレンテレフタレートなどからなるプラスチック製のものである。
【００２８】
また、フィルム（装飾体）５，５'はプラスチック製，布製，紙製などのものであり、縦ヒンジ外装ケース６，７および横ヒンジ外装ケース８，９は透明性状のプラスチック製のもの、例えばポリプロピレン，ポリエチレン，ＰＥＴなどからなるものである。
【００２９】
図示の容器本体１に対する透明性状の容器用外装ケース（縦ヒンジ外装ケース６，７および横ヒンジ外装ケース８，９）の基本的特徴は、
(21)そのカバー対象として、容器本体１の外周面１ｃのみならずその環状上面１ｂをも含み、
(22)縦ヒンジ外装ケース６，７および横ヒンジ外装ケース８，９それぞれの筒状胴部内周面と、容器本体外周面１ｃとの間にフィルム，シートなどの各種装飾体５,５'が配設されることを前提とし、
(23)縦ヒンジ外装ケース６，７および横ヒンジ外装ケース８，９それぞれの筒状胴部の構成要素である複数の可動縦胴部要素６ｃ,７ｇ,８ｃ,９ｃを、周方向の隣同士に、当該可動縦胴部要素が互いにいわば開閉自在といえる態様で設定し、
(24)上記(23)の開閉動作における可動縦胴部要素それぞれの回動中心として作用する縦ヒンジ作用部６ｅ,７ｊや横ヒンジ作用部８ｆ，９ｅを設けた、
ことなどである。
【００３０】
また、縦ヒンジ外装ケース６，７および横ヒンジ外装ケース８，９のそれぞれの全体形状が一体成形加工により作成されることも更なる特徴である。
【００３１】
なお、縦ヒンジ外装ケース６および横ヒンジ外装ケース８，９は、例えばそれぞれの計二個の半外装ケース６ａ，８ａ，９ａが略１８０度開いた直線状態の形状で一体成形される。
【００３２】
また、縦ヒンジ外装ケース７は、例えば計二個の半々外装ケース７ｅがそれぞれ単一の半外装ケース７ａに対して略９０度回動した状態（≒図３の開状態）の形状で一体成形される。
【００３３】
図１および図２は、有底円筒状の縦ヒンジ外装ケース６を用いて容器本体１の外周面との間に一枚のフィルム５を収納する場合を示している。
【００３４】
開状態の縦ヒンジ外装ケース６（図１参照）に容器本体１およびフィルム５などを収納するには、例えば、
(31)縦ヒンジ外装ケース６の中に、フィルム５を、その縦方向端部５ａがそれぞれ半外装ケース６ａの突状係止部６ｇに仮保持される態様でセットし、
(32)次に、容器本体１などのポンプ式製品を矢印で示すように開状態の縦ヒンジ外装ケース６の中へその正面側から入れ、
(33)次に、半外装ケース６ａ同士を閉じる、すなわち縦ヒンジ作用部６ｅを中心にして当該半外装ケースの少なくとも一つを他方側に回動させる、
ようにすればよい。
【００３５】
そして、上記(33)の回動操作により二つの半外装ケース６ａの係合部６ｆ同士がロック状態となった段階で、容器本体１およびフィルム５は縦ヒンジ外装ケース６の内部に略完全収納される（図２参照）。
【００３６】
図３および図４は有底円筒状の縦ヒンジ外装ケース７を用いて、容器本体１の外周面との間に一枚のフィルム５を収納する場合を示している。
【００３７】
図１および図２の縦ヒンジ外装ケース６の場合との違いは、
(41)単一の半外装ケース７ａの左右両側にそれぞれ縦ヒンジ作用部７ｊを介して半々外装ケース７ｅが接続され、
(42)この二個の半々外装ケース７ｅがそれぞれ単一の半外装ケース７ａに対して開閉し、かつ、半々外装ケース７ｅ同士も開閉する、
ことなどである。
【００３８】
なお、図３の開状態の縦ヒンジ外装ケース７に容器本体１およびフィルム５などを収納する際の手順は、上記(31)〜(33)と同様である。
【００３９】
ここで、上記(42)の半々外装ケース７ｅの開閉作動に相当する回動操作は、二個の当該半々外装ケース（の少なくとも一方ではなく）のそれぞれを他方側へと移動させるための回動操作となる。
【００４０】
図５および図６は有底円筒状の横ヒンジ外装ケース８を用いて、容器本体１の外周面との間に二枚のフィルム５'を別々に収納する場合を示している。
【００４１】
開状態の横ヒンジ外装ケース８（図５参照）に容器本体１およびフィルム５'などを収納するには、例えば、
(51)二つの半外装ケース８ａそれぞれの中に、一枚のフィルム５'を、その縦方向端部５ａ'がそれぞれ当該半外装ケースの突状係止部８ｈに仮保持される態様でセットし、
(52)次に、容器本体１などのポンプ式製品を矢印で示すように開状態の横ヒンジ外装ケース８の中へその上方から入れ（図５参照）、
(53)次に、半外装ケース８ａ同士を閉じる、すなわち横ヒンジ作用部８ｆを中心にして当該半外装ケースの少なくとも一つを他方側に回動させる、
ようにすればよい。
【００４２】
そして、上記(53)の回動操作により二つの半外装ケース８ａの係合部８ｇ同士がロック状態となった段階で、容器本体１および二枚のフィルム５'は横ヒンジ外装ケース８に略完全収納される（図６参照）。
【００４３】
図７および図８は有底円筒状の横ヒンジ外装ケース９を用いて、容器本体１の外周面との間に二枚のフィルム５'を別々に収納する場合を示している。
【００４４】
図５および図６の横ヒンジ外装ケース８の場合との違いは、
(61)半外装ケース９ａの半環状上部９ｂ同士のいわば対向直線部分がそれぞれ横ヒンジ作用部９ｅを介して接続され、
(62)この横ヒンジ作用部９ｅを回動中心にして、二個の半外装ケース９ａそれぞれの半円状底部９ｄの側が開閉する、
ことなどである。
【００４５】
開状態の横ヒンジ外装ケース９（図７参照）に容器本体１およびフィルム５'などを収納するには、例えば、
(71)二つの半外装ケース９ａそれぞれの中に、一枚のフィルム５'を、その縦方向端部５ａ'がそれぞれ当該半外装ケースの突状係止部９ｇに仮保持される態様でセットし、
(72)次に、ネジキャップ２が取り付けられていない状態の容器本体１を矢印で示すように開状態の横ヒンジ外装ケース９の半環状上部９ｂの中へその下方から入れ（図７参照）、
(73)次に、半外装ケース９ａ同士を閉じる、すなわち横ヒンジ作用部９ｅを中心にして当該半外装ケース同士をそれぞれの半円状底部９ｄが近づく方向に回動させ、
(74)次に、容器本体１の筒状首部１ａに、周知の内容物放出機構と一体になっているネジキャップ２を螺合させる、
ようにすればよい。なお、上記(72)のネジキャップ２の螺合作業は上記(71)のセットに続いて行ってもよい。
【００４６】
そして、上記(74)の回動操作により二つの半外装ケース９ａの係合部９ｆ同士がロック状態となった段階で、容器本体１およびフィルム５'は横ヒンジ外装ケース９の内部に略完全収納される（図８参照）。
【００４７】
なお、図２，図４，図６および図８の各外装ケースの閉状態のとき、容器本体１の環状上面１ｂ，外周面１ｃおよび底部１ｄは、縦ヒンジ外装ケース６，７および横ヒンジ外装ケース８，９それぞれの内部にいわばすっぽりと包まれている。
【００４８】
また、この閉状態のとき、容器本体１の筒状首部１ａの下端環状部分とその真下の環状上面部分との隙間にも、縦ヒンジ外装ケース６，７および横ヒンジ外装ケース８，９それぞれの半環状上部６ｂ，７ｂ，８ｂ，９ｂの内端側部分が入り込んだ形になっている。
【００４９】
図２，図４，図６および図８の閉状態の各外装ケースを開くには、それぞれの係合部６ｆ，７ｋ，８ｇ，９ｇのロックを解除すればよい。
【００５０】
すなわち、閉状態の一対の係合部同士をずらして当該ロックを解除すればよい。この係合部６ｆ，７ｋ，８ｇ，９ｇ自体は周知の各係合手段が用いられる。
【００５１】
なお、操作ボタン３が下方に押圧されることにより周知のポンプ機構（エアゾール式製品の場合は周知のバルブ機構）が作動して容器本体１に収納済みの内容物が当該操作ボタンの放出孔から外部空間域へと放出される。
【００５２】
本発明が以上の実施形態に限定されないことは勿論であって例えば、
(81)エアゾール式製品の、マウンティングキャップの取付け対象である容器本体（および肩カバー体）の外装ケースとして用いる、
(82)押圧タイプの操作ボタンに代えて、チルトタイプ（傾動タイプ）などの各種操作ボタンを用いる場合も対象とする、
(83)フィルム５，５'を接着テープ，接着剤などで容器本体１に取り付ける、
(84)図５，図６の横ヒンジ外装ケース８において、その二個の半外装ケースそれぞれの下側を（図３，図４の縦ヒンジ外装ケース７のいわばアナロジーの形で）単一の円筒状外装ケースとし、かつ、この円筒状外装ケースの上側に半外装ケース８ａと同様の開閉機能を備えた計二個の半外装ケースを形成する、
(85)図７，図８の横ヒンジ外装ケース９においてその二個の半外装ケースそれぞれの上側を（図３，図４の縦ヒンジ外装ケース７のいわばアナロジーの形で）単一の円筒状外装ケースとし、かつ、この円筒状外装ケースの下側に半外装ケース９ａと同様の開閉機能を備えた計二個の半外装ケースを形成する、
(86)係合部６ｆや突状係止部６ｇを任意の個数形成する、
(87)縦ヒンジ作用部６ｅを上下方向に飛び飛びに任意の個数形成する、
ようにしてもよい。
【００５３】
本発明が適用されるポンプ式製品やエアゾール式製品としては、洗浄剤，清掃剤，制汗剤，冷却剤，筋肉消炎剤，ヘアスタイリング剤，ヘアトリートメント剤，染毛剤，育毛剤，化粧品，シェービングフォーム，食品，液滴状のもの（ビタミンなど），医薬品，医薬部外品，塗料，園芸用剤，忌避剤（殺虫剤），クリーナー，消臭剤，洗濯のり，ウレタンフォーム，消火器，接着剤，潤滑剤などの各種用途のものがある。
【００５４】
容器本体に収納する内容物は、液状，クリーム状，ゲル状など種々の形態のものを用いることができ、内容物に配合される成分としては例えば、粉状物，油成分，アルコール類，界面活性剤，高分子化合物，各用途に応じた有効成分，水などが挙げられる。
【００５５】
粉状物としては、金属塩類粉末，無機物粉末や樹脂粉末などを用いる。例えば、タルク，カオリン，アルミニウムヒドロキシクロライド（アルミ塩），アルギン酸カルシウム，金粉，銀粉，雲母，炭酸塩，硫酸バリウム，セルロース，これらの混合物などを用いる。
【００５６】
油成分としては、シリコーン油，パーム油，ユーカリ油，ツバキ油，オリーブ油，ホホバ油，パラフィン油，ミリスチン酸，パルミチン酸，ステアリン酸，リノール酸，リノレン酸などを用いる。
【００５７】
アルコール類としては、エタノールなどの１価の低級アルコール，ラウリルアルコールなどの１価の高級アルコール，エチレングリコール，グリセリン，1,3−ブチレングリコールなどの多価アルコールなどを用いる。
【００５８】
界面活性剤としては、ラウリル硫酸ナトリウムなどのアニオン性界面活性剤、ポリオキシエチレンオレイルエーテルなどの非イオン性界面活性剤、ラウリルジメチルアミノ酢酸ベタインなどの両性界面活性剤、塩化アルキルトリメチルアンモニウムなどのカチオン性界面活性剤などを用いる。
【００５９】
高分子化合物としては、メチルセルロース，ゼラチン，デンプン，カゼイン，ヒドロキシエチルセルロース，キサンタンガム，カルボキシビニルポリマーなどを用いる。
【００６０】
各用途に応じた有効成分としては、サリチル酸メチル，インドメタシンなどの消炎鎮痛剤、安息香酸ナトリウム，クレゾールなどの除菌剤、ヒレスロイド，ジエチルトルアミドなどの害虫忌避剤、酸化亜鉛などの制汗剤、カンフル，メントールなどの清涼剤、エフェドリン，アドレナリンなどの抗喘息薬、スクラロース，アスパルテームなどの甘味料、エポキシ樹脂，ウレタンなどの接着剤や塗料、パラフェニレンジアミン，アミノフェノールなどの染料，リン酸二水素アンモニウム，炭酸水素ナトリウム・カリウムなどの消火剤などを用いる。
【００６１】
さらに、上記内容物以外の、懸濁剤，紫外線吸収剤，乳化剤，保湿剤，酸化防止剤、金属イオン封鎖剤なども用いることができる。
【００６２】
エアゾール式製品の内容物噴射用ガスとしては、炭酸ガス，窒素ガス，圧縮空気，酸素ガス，希ガス，これらの混合ガスなどの圧縮ガスや、液化石油ガス，ジメチルエーテル，フロロカーボンなどの液化ガスを用いる。
【符号の説明】
【００６３】
（図１，図２，図４〜図８）
１：有底円筒状の容器本体（容器）
１ａ：筒状首部（開口部）
１ｂ：環状上面
１ｃ：外周面（筒状部）
１ｄ：底部
２：ネジキャップ
３：操作ボタン
４：カバーキャップ
５，５'：フィルム（装飾体）
５ａ，５ａ'：一対の縦方向端部
５ｂ，５ｂ'：横方向上端部
５ｃ，５ｃ'：横方向下端部
【００６４】
（図１および図２）
６：有底円筒状の縦ヒンジ外装ケース（その１）
６ａ：計二個の半外装ケース
６ｂ：半環状上部
６ｃ：可動縦胴部要素（縦方向の可動胴部要素）
６ｄ：半円状底部
６ｅ：縦ヒンジ作用部
６ｆ：計四個の係合部
６ｇ：計六個の突状係止部
【００６５】
（図３および図４）
７：有底円筒状の縦ヒンジ外装ケース（その２）
７ａ：単一の半外装ケース
７ｂ：半環状上部
７ｃ：縦胴部要素
７ｄ：半円状底部
７ｅ：計二個の半々外装ケース
７ｆ：半々環状上部
７ｇ：可動縦胴部要素（縦方向の可動胴部要素）
７ｈ：半々円状（１／４円状）底部
７ｊ：計二個の縦ヒンジ作用部
７ｋ：計四個の係合部
７ｍ：計六個の突状係止部
【００６６】
（図５および図６）
８：有底円筒状の横ヒンジ外装ケース（その１）
８ａ：計二個の半外装ケース
８ｂ：半環状上部
８ｃ：可動縦胴部要素（縦方向の可動胴部要素）
８ｄ：計二個の内向き半環状下部
８ｅ：共通の底部
８ｆ：計二個の横ヒンジ作用部
８ｇ：計四個の係合部
８ｈ：計十二個の突状係止部
【００６７】
（図７および図８）
９：有底円筒状の横ヒンジ外装ケース（その２）
９ａ：計二個の半外装ケース
９ｂ：半環状上部
９ｃ：可動縦胴部要素（縦方向の可動胴部要素）
９ｄ：半円状底部
９ｅ：計二個の横ヒンジ作用部
９ｆ：計四個の係合部
９ｇ：計十二個の突状係止部
【図１】
2012236644.tif 000003
【図２】
2012236644.tif 000004
【図３】
2012236644.tif 000005
【図４】
2012236644.tif 000006
【図５】
2012236644.tif 000007
【図６】
2012236644.tif 000008
【図７】
2012236644.tif 000009
【図８】
2012236644.tif 000010